(57)【要約】【課題】  第１のページに引き続く第２のページの画像データに対する画像処理が完了しているか否かに応じて、第１の用紙に引き続く第２の用紙に対する転写手段及び定着手段による処理を適切に制御すること。【解決手段】  Ｓ３０１で開始した画像処理が終了したか否かを判断する（Ｓ３０４）。Ｓ３０４で、画像処理が終了していないと判断された場合、転写部４０１により、Ｓ３０２で給紙された用紙に対して画像転写を実行せずに、白紙のまま転写部４０１を通過させる（Ｓ３０８）。次に、定着部４０２により、Ｓ３０８で白紙のまま転写部４０１を通過させた用紙を、白紙のまま定着部４０２を通過させる（Ｓ３０９）。次に、排紙ローラー４１２により、Ｓ３０９で白紙のまま定着部４０２を通過させた用紙を、Ｓ１０１で設定した排紙先に排紙する（Ｓ３１０）。【選択図】  図８
2010002511.tif 000002
【特許請求の範囲】
【請求項１】
画像データを入力する入力手段と、
前記入力手段により入力された画像データに対して画像処理を実行する画像処理手段と、
前記画像処理手段により画像処理が実行された画像データに応じた現像剤像を感光体上に形成し、前記現像剤像を前記感光体から用紙上に転写する転写手段と、
前記転写手段により転写された現像剤像を用紙上に定着させる定着手段と、
前記画像処理手段により画像処理が実行された複数ページ分の画像データの各ページに応じた現像剤像を用紙上に転写及び定着させるために、複数枚の用紙を搬送路上の所定の位置から一定の搬送間隔で前記転写手段及び前記定着手段へ搬送する搬送手段と、
画像処理が実行された第１のページの画像データに応じた現像剤像を定着させる第１の用紙を前記搬送手段により搬送させた後に前記第１の用紙に引き続く第２の用紙を前記搬送手段により前記所定の位置から搬送させる場合に、前記第１のページに引き続く第２のページの画像データに対する画像処理が完了している場合は前記転写手段により前記第２のページの画像データに応じた現像剤像を前記第２の用紙に転写して前記定着手段に前記第２の用紙を搬送し、前記第２のページの画像データに対する画像処理が完了していない場合は前記転写手段により前記第２のページの画像データに応じた現像剤像を前記第２の用紙に転写することなく前記定着手段に前記第２の用紙を搬送するよう前記転写手段及び前記定着手段を制御する制御手段とを有することを特徴とする画像形成装置。
【請求項２】
前記入力手段は、読取部又は外部装置から画像データを入力することを特徴とする請求項１に記載の画像形成装置。
【請求項３】
前記画像処理手段は、前記入力手段により入力された画像データに対してページ記述言語のデータをビットマップのデータに展開する画像処理を実行することを特徴とする請求項１又は２に記載の画像形成装置。
【請求項４】
前記制御手段は、前記転写手段により前記第２のページの画像データに応じた現像剤像を前記第２の用紙に転写することなく前記定着手段に前記第２の用紙を搬送した後、前記第２の用紙に引き続く第３の用紙を前記搬送手段により前記所定の位置から搬送させる場合に、前記第２のページの画像データに対する画像処理が完了している場合は前記転写手段により前記第２のページの画像データに応じた現像剤像を前記第３の用紙に転写して前記定着手段に前記第３の用紙を搬送し、前記第２のページの画像データに対する画像処理が完了していない場合は前記転写手段により前記第２のページの画像データに応じた現像剤像を前記第３の用紙に転写することなく前記定着手段に前記第３の用紙を搬送するよう前記転写手段及び前記定着手段を制御することを特徴とする請求項１乃至３のいずれかに記載の画像形成装置。
【請求項５】
前記画像形成装置においてサイクルダウンを防止するサイクルダウン防止印刷モードを設定する設定手段を有し、
前記制御手段は、前記設定手段によりサイクルダウン防止印刷モードが設定された場合に前記制御を実行することを特徴とする請求項１乃至４のいずれかに記載の画像形成装置。
【請求項６】
複数の排紙部に用紙を排紙する排紙手段を有し、
前記制御手段は、前記転写手段により前記第２のページの画像データに応じた現像剤像が転写されることなく前記定着手段に搬送された前記第２の用紙が、前記転写手段により前記第２のページの画像データに応じた現像剤像が転写されて前記定着手段に搬送された前記第２の用紙が排紙される排紙部とは異なる排紙部に排紙されるよう前記排紙手段を制御することを特徴とする請求項１乃至５のいずれかに記載の画像形成装置。
【請求項７】
前記転写手段により前記第２のページの画像データに応じた現像剤像が転写されることなく前記定着手段に搬送された前記第２の用紙が排紙される排紙部を前記複数の排紙部の中から指定する指定手段を有し、
前記制御手段は、前記転写手段により前記第２のページの画像データに応じた現像剤像が転写されることなく前記定着手段に搬送された前記第２の用紙が前記指定手段によって指定された排紙部に排紙されるよう前記排紙手段を制御することを特徴とする請求項６に記載の画像形成装置。
【請求項８】
前記制御手段は、前記転写手段により前記第２のページの画像データに応じた現像剤像が転写されることなく前記定着手段に搬送された前記第２の用紙が前記印刷装置の給紙部に排紙されるよう前記排紙手段を制御することを特徴とする請求項６又は７に記載の画像形成装置。
【請求項９】
前記制御手段は、前記転写手段により前記第２のページの画像データに応じた現像剤像が転写されることなく前記定着手段に搬送された前記第２の用紙が前記印刷装置に接続されたスタッカのエスケープトレイに排紙されるよう前記排紙手段を制御することを特徴とする請求項６又は７に記載の画像形成装置。
【請求項１０】
転写手段と定着手段とを有する画像形成装置を制御するための制御方法であって、
画像データを入力する入力工程と、
前記入力工程により入力された画像データに対して画像処理を実行する画像処理工程と、
前記転写手段により、前記画像処理工程により画像処理が実行された画像データに応じた現像剤像を感光体上に形成し、前記現像剤像を前記感光体から用紙上に転写する転写工程と、
前記定着手段により、前記転写工程により転写された現像剤像を用紙上に定着させる定着工程と、
前記画像処理工程により画像処理が実行された複数ページ分の画像データの各ページに応じた現像剤像を用紙上に転写及び定着させるために、複数枚の用紙を搬送路上の所定の位置から一定の搬送間隔で前記転写手段及び前記定着手段へ搬送する搬送工程と、
画像処理が実行された第１のページの画像データに応じた現像剤像を定着させる第１の用紙を前記搬送工程により搬送させた後に前記第１の用紙に引き続く第２の用紙を前記搬送工程により前記所定の位置から搬送させる場合に、前記第１のページに引き続く第２のページの画像データに対する画像処理が完了している場合は前記転写手段により前記第２のページの画像データに応じた現像剤像を前記第２の用紙に転写して前記定着手段に前記第２の用紙を搬送し、前記第２のページの画像データに対する画像処理が完了していない場合は前記転写手段により前記第２のページの画像データに応じた現像剤像を前記第２の用紙に転写することなく前記定着手段に前記第２の用紙を搬送するよう前記転写手段及び前記定着手段を制御する制御工程とを有することを特徴とする制御方法。
【発明の詳細な説明】
【技術分野】
【０００１】
本発明は、画像形成装置及び画像形成装置の制御方法に関するものである。
【背景技術】
【０００２】
画像形成装置は、画像データの展開処理が終了した後に、レジストローラに待機させていた用紙の搬送を開始する。そして、搬送される用紙に対して展開処理が終了した画像データに応じた現像剤像を転写し、現像剤像が転写された用紙に定着処理を施すことで画像形成を実行する。
【０００３】
近年、高速な画像形成装置は、用紙を一定の時間の間隔で転写部及び定着部に搬送するものが多い。このとき、定着部では、用紙の通過による温度低下を用紙が搬送される時間の間隔で補えるように、一定の加熱をし続ける構成をとっている。図１０は、複数ページの印刷が正常に行われている場合の定着部の温度変化を示す図である。図１０では、用紙が搬送される時間の間隔で用紙の通過による温度低下が補われることにより、定着部の温度が常に画像の定着を実行するのに適正な温度（適正温度）に保たれている。
【０００４】
しかし、上記のような構成をとっているが故に、あるページの画像処理にかかる時間が長くなってしまった場合、定着部の温度が適正温度を超えてしまうことがある。これは、画像データの展開処理に時間がかかると、レジストローラに用紙を待機させる時間が長くなり、その間定着器には温度が加えられたままとなることにより、定着器の温度が上昇してしまうからである。この温度上昇によって、定着器の温度が定着処理に適した温度を超えてしまうと、定着器の温度を定着処理に適した温度まで低下させるために、定着器のヒータをオフした状態でさらに画像形成装置を待機させる必要がある。図１１は、複数ページの印刷においてサイクルダウンが発生してしまった場合の定着部の温度変化を示す図である。図１１では、３ページ目の画像データに対する画像処理に時間がかかってしまい、定着部の温度が画像の定着を実行するのに適正な温度を超えた温度（異常温度）となってしまっている。こうなってしまった場合、定着部での加熱を一旦停止して、定着部の温度が適正温度になるまで待たなければならない。これをサイクルダウンという。図１１では、サイクルダウンの後、定着部の温度が適正温度になってから、３ページ目の画像データに対する画像の定着を再開している。
【０００５】
特許文献１には、極度に複雑な印刷データがあったとしても、時間を有効に活用して印刷を行わせ、全体としてのスループットの低下を最小限に抑える発明が記載されている。
【０００６】
特許文献１に記載された発明では、定速に搬送されてくるカード或いはラベル等の記録媒体に対してカラー印刷を行う際、各色成分のビットマップデータを発生し、印刷を行わせる。印刷すべき位置にまで記録媒体が搬送されたにもかかわらず、その印刷媒体に印刷させるビットマップイメージの発生が間に合わなかった場合には、その直前までの記録媒体に対する印刷を行わせる。そして、その印刷が完了した場合に、今度は逆に搬送させ、その過程で間に合わなかった記録媒体に対する印刷を行わせ、それが完了したら順方向に戻し、本来の処理に復帰する。
【特許文献１】特開平１１−１０９６２
【発明の開示】
【発明が解決しようとする課題】
【０００７】
しかし、特許文献１に記載された発明では、用紙をスイッチバックするだけであるため、定着部の温度上昇を効果的に防止することができない。また、そもそも、近年のプリンタでは、印刷速度が高速であるため、印刷の途中で印刷速度を高速に保ちつつ用紙をスイッチバックすることが非常に困難である。
【０００８】
本発明は、第１のページに引き続く第２のページの画像データに対する画像処理が完了しているか否かに応じて、第１の用紙に引き続く第２の用紙に対する転写手段及び定着手段による処理を適切に制御することを目的とする。
【課題を解決するための手段】
【０００９】
本発明に係る画像形成装置は、画像データを入力する入力手段と、前記入力手段により入力された画像データに対して画像処理を実行する画像処理手段と、前記画像処理手段により画像処理が実行された画像データに応じた現像剤像を感光体上に形成し、前記現像剤像を前記感光体から用紙上に転写する転写手段と、前記転写手段により転写された現像剤像を用紙上に定着させる定着手段と、前記画像処理手段により画像処理が実行された複数ページ分の画像データの各ページに応じた現像剤像を用紙上に転写及び定着させるために、複数枚の用紙を搬送路上の所定の位置から一定の搬送間隔で前記転写手段及び前記定着手段へ搬送する搬送手段と、画像処理が実行された第１のページの画像データに応じた現像剤像を定着させる第１の用紙を前記搬送手段により搬送させた後に前記第１の用紙に引き続く第２の用紙を前記搬送手段により前記所定の位置から搬送させる場合に、前記第１のページに引き続く第２のページの画像データに対する画像処理が完了している場合は前記転写手段により前記第２のページの画像データに応じた現像剤像を前記第２の用紙に転写して前記定着手段に前記第２の用紙を搬送し、前記第２のページの画像データに対する画像処理が完了していない場合は前記転写手段により前記第２のページの画像データに応じた現像剤像を前記第２の用紙に転写することなく前記定着手段に前記第２の用紙を搬送するよう前記転写手段及び前記定着手段を制御する制御手段とを有することを特徴とする。
【００１０】
また、本発明に係る画像形成装置の制御方法は、転写手段と定着手段とを有する画像形成装置を制御するための制御方法であって、画像データを入力する入力工程と、前記入力工程により入力された画像データに対して画像処理を実行する画像処理工程と、前記転写手段により、前記画像処理工程により画像処理が実行された画像データに応じた現像剤像を感光体上に形成し、前記現像剤像を前記感光体から用紙上に転写する転写工程と、前記定着手段により、前記転写工程により転写された現像剤像を用紙上に定着させる定着工程と、前記画像処理工程により画像処理が実行された複数ページ分の画像データの各ページに応じた現像剤像を用紙上に転写及び定着させるために、複数枚の用紙を搬送路上の所定の位置から一定の搬送間隔で前記転写手段及び前記定着手段へ搬送する搬送工程と、画像処理が実行された第１のページの画像データに応じた現像剤像を定着させる第１の用紙を前記搬送工程により搬送させた後に前記第１の用紙に引き続く第２の用紙を前記搬送工程により前記所定の位置から搬送させる場合に、前記第１のページに引き続く第２のページの画像データに対する画像処理が完了している場合は前記転写手段により前記第２のページの画像データに応じた現像剤像を前記第２の用紙に転写して前記定着手段に前記第２の用紙を搬送し、前記第２のページの画像データに対する画像処理が完了していない場合は前記転写手段により前記第２のページの画像データに応じた現像剤像を前記第２の用紙に転写することなく前記定着手段に前記第２の用紙を搬送するよう前記転写手段及び前記定着手段を制御する制御工程とを有することを特徴とする。
【発明の効果】
【００１１】
本発明により、第１のページに引き続く第２のページの画像データに対する画像処理が完了しているか否かに応じて、第１の用紙に引き続く第２の用紙に対する転写手段及び定着手段による処理を適切に制御することが可能となる。
【発明を実施するための最良の形態】
【００１２】
〔第１実施形態〕
図１は、第１実施形態に係るシステムの構成を示す図である。
【００１３】
１０１は、ＰＣである。１０２は、プリンタである。１０３は、ネットワークである。ＰＣ１０１とプリンタ１０２は、ネットワーク１０３により接続され、画像データ等のデータの伝送が行われる。なお、ＰＣ１０１とプリンタ１０２の接続はローカル接続でもよい。
【００１４】
図２は、第１実施形態に係るプリンタ１０２の構成を示すブロック図である。
【００１５】
２０１は制御部であり、プリンタ１０２の各構成２０２〜２０４を制御する。制御部２０１の詳細は、図４を用いて後述する。２０２は操作部であり、表示部と入力部とを有し、表示部によりユーザにプリンタ１０２の操作画面を提供するとともに、入力部によりユーザからプリンタ１０２に対する各種操作を受け付ける。２０３は読取部であり、原稿から画像データを読み取り、制御部２０１に入力する。２０４は印刷部であり、制御部２０１により画像処理を実行された画像データに基づいて、出力用紙に画像転写を実行する。
【００１６】
図３は、第１実施形態に係る制御部２０１の詳細を示すブロック図である。
【００１７】
３０１はＣＰＵであり、ＲＡＭ３０３に展開されたプログラムに基づき、プリンタ１０２の各構成２０２〜２０４や制御部２０１の各構成３０２〜３０７を制御する。３０２はＲＯＭ（不揮発性記憶媒体）であり、ＣＰＵ３０１が実行するブートプログラム等を記憶する。３０３はＲＡＭ（揮発性記憶媒体）であり、ＣＰＵ３０１が実行するＯＳやアプリケーションのプログラム等がＨＤＤ３０４から展開される。３０４はＨＤＤ（不揮発性記憶媒体）であり、ＣＰＵ３０１が実行するＯＳやアプリケーションのプログラム等を記憶する。３０５はイメージプロセッサであり、イメージメモリ３０６に記憶された画像データに対して各種画像処理を実行する。３０６はイメージメモリ（揮発性記憶媒体）であり、読取部２０３やネットワークインターフェース３０７から入力された画像データを一時的に保持する。３０７はネットワークインターフェースであり、プリンタ１０２とＰＣ１０１等の外部装置との間でデータの入出力を行う。３０８はタイマであり、用紙が搬送される時間や距離の間隔を計測する。３０９はＩ／Ｏインターフェースであり、制御部２０１と２０２〜２０４に接続されたバスとの間でデータの入出力を行う。
【００１８】
図４は、第１実施形態に係るプリンタ１０２の断面図である。４０１〜４１５は、印刷部２０４の構成である。
【００１９】
４０１は、転写部である。４０２は、定着部である。４０３（，４０４，４０５）は、給紙部である。４０６（，４０７）は、排紙部である。４０８（４０９，４１０）は、給紙ローラーである。４１１は、レジストローラーである。４１２は、排紙ローラーである。４１３は、反転ローラーである。４１４は、返送ローラーである。４１５は、両面パスである。４１６は、センサである。４１７は、サーミスタである。
【００２０】
印刷部２０４における印刷処理は、ＣＰＵ３０１がプリンタ１０２の各構成を制御することにより、次の通り実行される。まず、給紙ローラー４０８（４０９，４１０）により、用紙が給紙部４０３（，４０４，４０５）から給紙される。次に、レジストローラー４１１により、給紙された用紙が転写部４０１に入力される。次に、転写部４０１により、入力された用紙に対して用紙上に現像剤像の画像転写が実行される。次に、定着部４０２により、画像転写が実行された用紙に対して用紙上に現像剤像の画像定着が実行される。次に、排紙ローラー４１２により、画像定着が実行された用紙が排紙部４０６（，４０７）へ排紙される。サイクルダウン防止印刷の実行時に排出される白紙の用紙を給紙部に戻す場合、返送ローラー４１４により、白紙の用紙が給紙部４０５に返送される。両面印刷の場合、反転ローラー４１３により、片面のみ画像定着まで実行された用紙が反転され、両面パス４１５を通過され、レジストローラー４１１へと搬送される。なお、サイクルダウンが起こらない限り、用紙は、先行する用紙から等間隔の距離又は時間をおいて、転写部４０１から定着部４０２へ搬送される。用紙が等間隔の距離をおいて搬送される場合、センサ４１６により、先に給紙した用紙の後端を検知したときに、次の用紙の給紙が開始される。これにより、先に給紙した用紙と後に給紙した用紙との距離が一定の搬送間隔となるように給紙される。用紙が等間隔の時間をおいて搬送される場合、タイマ３０８により、先に給紙した用紙の先又は後端がセンサ４１６により検知されたときに、時間の計測が開始される。そして、タイマ３０８により、所定の時間が計測されたときに、次の用紙の給紙が開始される。これにより、先に給紙した用紙と後に給紙した用紙との時間が一定の搬送間隔となるように給紙される。
【００２１】
転写部４０１は、感光体と帯電部と露光部と現像部とにより構成される。感光体は、用紙に画像を転写するものである。帯電部は、感光体を帯電させるものである。露光部は、レーザーを用いて帯電した感光体上に露光を行って静電潜像を生成するものである。現像部は、現像剤（例えばトナー）を用いて感光体上に生成された静電潜像を現像するものである。
【００２２】
転写部４０１における転写処理は、ＣＰＵ３０１が転写部４０１の各構成を制御することにより、次の通り実行される。まず、ＣＰＵにより、画像処理にて生成されたビットマップデータをレーザーの照射光のデータに変換する。次に、帯電部により、感光体を帯電する。次に、露光部により、変換したレーザーの照射光のデータに基づき、レーザーを用いて帯電した感光体上に露光を行い静電潜像を生成する。次に、現像部により、現像剤（例えばトナー）を用いて感光体上に生成された静電潜像を現像する。
【００２３】
本実施形態では、複数ページ分の画像データそれぞれに対して、画像処理を実行し、対応する複数枚の用紙それぞれに対して、用紙上に現像剤像の転写及び定着を実行する。複数ページ分の画像データのうち、任意のページを第１のページとすると、第１のページに引き続くページは第２のページとなる。複数枚の用紙のうち、任意の用紙を第１の用紙とすると、第１の用紙に引き続く用紙は第２の用紙となり、第２の用紙に引き続く用紙は第３の用紙となる。
【００２４】
図５は、第１実施形態に係るプリンタ１０２の外観図である。図５は、特にプリンタ１０２に各種シート処理装置が接続された状態を示している。
【００２５】
５０１はペーパーデッキであり、プリンタ１０２に給紙する用紙を大量に格納することができる。ペーパーデッキには、給紙部５０５が存在する。５０２はスタッカであり、プリンタ１０２から排紙された用紙を大量に貯蓄することができる。スタッカ５０２には、印刷した用紙を蓄積するスタックトレイ５０６と、テストプリント等で印刷した用紙を排紙するエスケープトレイ５０７が存在する。図１３は、第１実施形態に係るスタッカ５０２の断面図である。用紙は、スタックトレイに排紙される場合、スタックパス６０１に搬送される。また、用紙は、くるみ正本気製本機５０３や中綴じ製本機５０４に搬送される場合、ストレートパス６０２に搬送される。用紙は、エスケープトレイに排紙される場合、エスケープパス６０３に搬送される。５０３はくるみ製本機であり、プリンタ１０２で印刷された用紙に対してくるみ製本を実行することができる。５０３はくるみ製本機であり、プリンタ１０２で印刷された用紙に対してくるみ製本を実行することができる。５０３は中綴じ製本機であり、プリンタ１０２で印刷された用紙に対して中綴じ製本を実行することができる。なお、中綴じ製本機は、中綴じ製本だけでなく、ステープル、インサータ、紙折り、断裁などの機能も合わせ持っていてもよい。また、これらのシート処理装置は、それぞれ独立に接続したり外したり自由な組合せで画像形成装置に取り付けることができ、その接続順序も自由に組み合わせることができる。中綴じ製本機５０４の後段には、排紙部５０８と排紙部５０９が存在する。
【００２６】
本実施形態において、ジョブには、コピー・プリント・ＦＡＸ・ＳＥＮＤ・ＢＯＸ等が含まれる。コピーとは、読取部２０３により読み取った画像データを印刷部２０４により印刷することである。プリントとは、ネットワークインターフェース３０７によりＰＣ１０１から受信した画像データを印刷部２０４により印刷することである。ＦＡＸとは、読取部２０３により読み取った画像データ等を、電話回線を用いて送受信することである。ＳＥＮＤとは、読取部２０３により読み取った画像データ等を、ネットワーク１０３を用いて送受信することである。ＢＯＸとは、読取部２０３により読み取った画像データ等を、ＨＤＤ３０４等の記憶媒体に記憶することである。
【００２７】
図６は、第１実施形態に係るプリンタ１０２の印刷動作を示すフローチャートである。このフローチャートに示された動作は、ＣＰＵ３０１がＨＤＤ３０４に記憶されたプログラムをＲＡＭ３０３に読み出し実行することにより実現される。
【００２８】
まず、操作部２０２により、プリンタ１０２の印刷設定を行う（Ｓ１０１）。この印刷設定では、通常の印刷設定とともに、本実施形態に係る印刷モードの設定も実行する。なお、Ｓ１０１は、既に設定済の場合省略してもよい。
【００２９】
図９は、第１実施形態に係る印刷設定Ｓ１０１において印刷モードの設定時に操作部２０２表示される画面である。図９では、通常印刷とモードとサイクルダウン防止印刷モードとの２つのモードから、印刷モードを選択することができる。通常印刷とは、従来の印刷モードであり（図７を用いて後述）、定着部４０２の温度上昇によって、印刷部２０４にサイクルダウンが発生することがある印刷モードのことである。サイクルダウン防止印刷とは、本実施形態に特有の印刷モードであり（図８を用いて後述）、定着部４０２の温度上昇によって、印刷部２０４にサイクルダウンが発生することがない印刷モードのことである。サイクルダウン防止印刷では、イメージプロセッサ３０５の画像処理に時間がかかった場合、転写部４０１で画像転写を行わない白紙の用紙を定着部４０２に搬送することにより、定着部４０２温度上昇を防止する。図９では、サイクルダウン防止印刷を選択した場合、白紙の用紙の排紙先を選択することができる。通常、白紙の用紙の排紙先としては、給紙部４０５や排紙部４０６や排紙部４０７等を指定することができる。また、プリンタ１０２に各種シート処理装置が接続されている場合、白紙の用紙の排紙先としては、スタックトレイ５０６やエスケープトレイ５０７や排紙部５０８や排紙部５０９を指定することもできる。
【００３０】
次に、ネットワークインターフェース３０７（又は読取部２０３）により、プリンタ１０２で印刷する画像データを入力する（Ｓ１０２）。
【００３１】
次に、Ｓ１０１でサイクルダウン防止印刷の設定が指定されたか否かを判断する（Ｓ１０３）。Ｓ１０３で、サイクルダウン防止印刷の設定が指定されなかったと判断された場合、Ｓ１０４に移行する。Ｓ１０３で、サイクルダウン防止印刷の設定が指定されたと判断された場合、Ｓ１０５に移行する。
【００３２】
Ｓ１０３で、サイクルダウン防止印刷の設定が指定されなかったと判断された場合、Ｓ１０２で入力した画像データに対して、通常印刷を実行する。この通常印刷の詳細は、図７を用いて後述する。
【００３３】
Ｓ１０３で、サイクルダウン防止印刷の設定が指定されたと判断された場合、Ｓ１０２で入力した画像データに対して、サイクルダウン防止印刷を実行する。このサイクルダウン防止印刷の詳細は、図８を用いて後述する。
【００３４】
次に、実行すべきジョブが残っているか否かを判断する（Ｓ１０６）。Ｓ１０６で、実行すべきジョブが残っていると判断された場合、Ｓ１０２に移行する。Ｓ１０６で、実行すべきジョブが残っていないと判断された場合、処理を終了する。
【００３５】
図７は、第１実施形態に係る通常印刷Ｓ１０４の詳細を示すフローチャートである。このフローチャートに示された動作は、ＣＰＵ３０１がＨＤＤ３０４に記憶されたプログラムをＲＡＭ３０３に読み出し実行することにより実現される。
【００３６】
まず、イメージプロセッサ３０５により、Ｓ１０２で入力した画像データに対して画像処理を開始する（Ｓ２０１）。この画像処理には、例えばページ記述言語の形式の画像データをビットマップの形式の画像データに変換する画像処理等が含まれる。次に、給紙ローラー４０８（又は４０９，４１０）により、給紙部４０３（又は４０４，４０５）から用紙を給紙する（Ｓ２０２）。この給紙された用紙は、レジストローラー４１１により、Ｓ２０１で開始した画像処理が終了するまで搬送が停止される。
【００３７】
次に、Ｓ２０１で画像処理を開始した画像データの前のページの画像データに対する画像転写が転写部４０１により終了したか否かを判断する（Ｓ２０３）。Ｓ２０３で、画像転写が終了したと判断された場合、Ｓ２０４に移行する。Ｓ２０３で、画像転写が終了していないと判断された場合、画像転写が終了するまで待機する。
【００３８】
次に、Ｓ２０１で開始した画像処理が終了したか否かを判断する（Ｓ２０４）。Ｓ２０４で、画像処理が終了したと判断された場合、Ｓ２０５に移行する。Ｓ２０４で、画像処理が終了していないと判断された場合、画像処理が終了するまで待機する。この待機中に定着部４０２の温度が所定の値以上となった場合、定着部４０２への電力供給を一旦停止し、定着部４０２の温度が所定の値未満となるまで待機する。定着部４０２には、温度検出部としてサーミスタ４１７が設けられている。ＣＰＵ３０１は、サーミスタ４１７が出力した定着部４０２の表面の温度に応じた電圧値に基づき、電圧値を温度に換算するテーブルを参照して定着部４０２の温度を判定する。そして、ＣＰＵ３０１により判定された温度が所定の温度以上となった場合、定着部４０２への電力供給を一旦停止し、ＣＰＵ３０１により判定される温度が所定の温度以上となるまで待機する。
【００３９】
なお、Ｓ２０３及びＳ２０４は、Ｓ２０２の後ではなくＳ２０２の前に実行してもよい。この場合、Ｓ２０２の給紙は、Ｓ２０３及びＳ２０４の後、Ｓ２０５の前に実行されることになる。
【００４０】
次に、転写部４０１により、Ｓ２０４で画像処理が終了した画像データに基づき、Ｓ２０２で給紙された用紙に対して画像転写を実行する（Ｓ２０５）。次に、定着部４０２により、Ｓ２０５で画像転写を実行した用紙に対して画像定着を実行する（Ｓ２０６）。次に、排紙ローラー４１２により、Ｓ２０６で画像定着を実行した用紙を排紙部４０６（又は４０７）に排紙する（Ｓ２０７）。
【００４１】
次に、印刷すべきページが残っているか否かを判断する（Ｓ２０８）。Ｓ２０８で、印刷すべきページが残っていると判断された場合、Ｓ２０１に移行する。Ｓ２０８で、印刷すべきページが残っていないと判断された場合、処理を終了する。
【００４２】
図８は、第１実施形態に係るサイクルダウン防止印刷Ｓ１０５の詳細を示すフローチャートである。このフローチャートに示された動作は、ＣＰＵ３０１がＨＤＤ３０４に記憶されたプログラムをＲＡＭ３０３に読み出し実行することにより実現される。
【００４３】
まず、イメージプロセッサ３０５により、Ｓ１０２で入力した画像データに対して画像処理を開始する（Ｓ３０１）。この画像処理には、例えばページ記述言語の形式の画像データをビットマップの形式の画像データに変換する画像処理等が含まれる。次に、給紙ローラー４０８（又は４０９，４１０）により、給紙部４０３（又は４０４，４０５）から一定の時間間隔で用紙を給紙する（Ｓ３０２）。
【００４４】
次に、Ｓ３０２で給紙した用紙が搬送され搬送路上の所定の位置に到達したか否かを判断する（Ｓ３０３）。所定の位置とは、例えばレジストローラー４１１や給紙ローラー４０８，４０９，４１０や図示しない搬送ローラーの位置等である。センサ４１６（レジストローラー４１１の位置のセンサ）以外のセンサは、特に図示はしていないが、必要に応じて任意の位置に設置できるものとする。用紙が所定の位置に到達したことは、所定の位置に設置されたセンサによって直接検知してもよいし、ＣＰＵ３０１が給紙から所定の位置までの用紙の搬送時間を計算することにより間接的に検知してもよい。Ｓ３０３で、用紙が所定の位置に到達したと判断された場合、Ｓ３０４に移行する。Ｓ３０３で、用紙が所定の位置に到達していないと判断された場合、用紙が所定の位置に到達するまで待機する。
【００４５】
次に、Ｓ３０１で開始した画像処理が終了したか否かを判断する（Ｓ３０４）。Ｓ３０４で、画像処理が終了したと判断された場合、Ｓ３０５に移行する。Ｓ３０４で、画像処理が終了していないと判断された場合、Ｓ３０８に移行する。
【００４６】
なお、Ｓ３０３及びＳ３０４は、Ｓ３０２の後ではなくＳ３０２の前に実行してもよい。この場合、Ｓ３０２の給紙は、Ｓ３０３及びＳ３０４の後、Ｓ３０５又はＳ３０８の前に実行されることになる。
【００４７】
Ｓ３０４で、画像処理が終了したと判断された場合、転写部４０１により、Ｓ３０４で画像処理が終了した画像データに基づき、Ｓ３０１で給紙された用紙に対して画像転写の処理を開始する（Ｓ３０５）。次に、定着部４０２により、Ｓ３０５で画像転写の処理を開始した用紙に対して画像定着の処理を開始する（Ｓ３０６）。次に、排紙ローラー４１２により、Ｓ３０６で画像定着の処理を開始した用紙を排紙部４０６（又は４０７）に排紙する（Ｓ３０７）。
【００４８】
Ｓ３０４で、画像処理が終了していないと判断された場合、転写部４０１により、Ｓ３０２で給紙された用紙に対して画像転写を実行せずに、白紙のまま転写部４０１を通過させる（Ｓ３０８）。次に、定着部４０２により、Ｓ３０８で白紙のまま転写部４０１を通過させた用紙を、白紙のまま定着部４０２を通過させる（Ｓ３０９）。次に、排紙ローラー４１２により、Ｓ３０９で白紙のまま定着部４０２を通過させた用紙を、Ｓ１０１で設定した排紙先に排紙する（Ｓ３１０）。Ｓ３１０の後、Ｓ３０４に移行する。
【００４９】
次に、印刷すべきページが残っているか否かを判断する（Ｓ３１１）。Ｓ３１１で、印刷すべきページが残っていると判断された場合、Ｓ３０１に移行する。Ｓ３１１で、印刷すべきページが残っていないと判断された場合、処理を終了する。
【００５０】
図１２は、第１実施形態に係るサイクルダウン防止印刷を実行した場合の定着部の温度変化を示す図である。図１２では、２ページ目の画像転写及び画像定着の後、３ページ目の画像データに対する画像処理に時間がかかってしまったため、定着部に白紙を通過させている。こうすることにより、プリンタのサイクルダウンを防止することが可能となる。図１２では、定着部を白紙が通過することにより、定着部の温度が温調領域を超えることなく、３ページ目の画像データに対する画像転写及び画像定着が画像処理後すぐに実行できるようになったことがわかる。
【００５１】
本実施形態により、印刷装置において、画像処理に時間がかかった場合でも、定着部の温度上昇によるサイクルダウンを防止することが可能となる。
【００５２】
〔他の実施形態〕
本発明の目的は、前述したシステムまたは装置が記憶媒体から前述した実施の形態の機能を実現するソフトウェアのプログラムを読み出し実行することによっても達成される。
【００５３】
この場合、記憶媒体から読み出されたプログラム自体が本発明の新規な機能を実現することになり、そのプログラム及びプログラムを記憶した記憶媒体は本発明を構成することになる。
【００５４】
プログラムコードを供給するための記憶媒体としては、例えば、フレキシブルディスク、ハードディスク、ＲＯＭ、光ディスク、光磁気ディスク、ＣＤ−ＲＯＭ、ＤＶＤ−ＲＯＭ、ＤＶＤ−ＲＡＭ、磁気テープ、メモリカード等を用いることができる。
【００５５】
また、プログラムの指示に基づき、コンピュータ上で稼動しているＯＳ等が実際の処理の一部または全部を行い、その処理によって前述した実施の形態の機能が実現される場合も含まれる。
【００５６】
更に、プログラムがコンピュータに接続された機能拡張ユニット等に備わるメモリに書き込まれた後、その機能拡張ユニットに備わるＣＰＵ等が実際の処理の一部または全部を行い、その処理によって前述した実施の形態の機能が実現される場合も含まれる。
【図面の簡単な説明】
【００５７】
【図１】第１実施形態に係るシステムの構成を示す図
【図２】第１実施形態に係るプリンタ１０２の構成を示すブロック図
【図３】第１実施形態に係る制御部２０１の詳細を示すブロック図
【図４】第１実施形態に係るプリンタ１０２の断面図
【図５】第１実施形態に係るプリンタ１０２の外観図
【図６】第１実施形態に係るプリンタ１０２の印刷動作を示すフローチャート
【図７】第１実施形態に係る通常印刷Ｓ１０４の詳細を示すフローチャート
【図８】第１実施形態に係るサイクルダウン防止印刷Ｓ１０５の詳細を示すフローチャート
【図９】第１実施形態に係る印刷設定Ｓ１０１において印刷モードの設定時に操作部２０２表示される画面
【図１０】複数ページの印刷が正常に行われている場合の定着部の温度変化を示す図
【図１１】複数ページの印刷においてサイクルダウンが発生してしまった場合の定着部の温度変化を示す図
【図１２】第１実施形態に係るサイクルダウン防止印刷を実行した場合の定着部の温度変化を示す図
【図１３】第１実施形態に係るスタッカ５０２の断面図
【符号の説明】
【００５８】
１０１  ＰＣ
１０２  プリンタ
１０３  ネットワーク
２０１  制御部
２０２  操作部
２０３  読取部
２０４  印刷部
３０１  ＣＰＵ
３０２  ＲＯＭ
３０３  ＲＡＭ
３０４  ＨＤＤ
３０５  イメージプロセッサ
３０６  イメージメモリ
３０７  ネットワークインターフェース
３０８  タイマ
４０１  転写部
４０２  定着部
４０３  給紙部
４０４  給紙部
４０５  給紙部
４０６  排紙部
４０７  排紙部
４０８  給紙ローラー
４０９  給紙ローラー
４１０  給紙ローラー
４１１  レジストローラー
４１２  排紙ローラー
４１３  反転ローラー
４１４  返送ローラー
４１５  両面パス
４１６  センサ
４１７  サーミスタ
５０１  ペーパーデッキ
５０２  スタッカ
５０３  くるみ製本機
５０４  中綴じ製本機
５０５  給紙部
５０６  スタックトレイ
５０７  エスケープトレイ
５０８  排紙部
５０９  排紙部
６０１  スタックパス
６０２  ストレートパス
６０３  エスケープパス
【図１】
2010002511.tif 000003
【図２】
2010002511.tif 000004
【図３】
2010002511.tif 000005
【図４】
2010002511.tif 000006
【図５】
2010002511.tif 000007
【図６】
2010002511.tif 000008
【図７】
2010002511.tif 000009
【図８】
2010002511.tif 000010
【図９】
2010002511.tif 000011
【図１０】
2010002511.tif 000012
【図１１】
2010002511.tif 000013
【図１２】
2010002511.tif 000014
【図１３】
2010002511.tif 000015